(57)【要約】      （修正有）【課題】ＭＦＰによりスキャンされた原稿上の情報に対して厳密なセキュリティを確保する。【解決手段】画像処理装置は、原稿をスキャンして原稿画像を生成する生成手段と、生成手段で生成された原稿画像の２次元コードをデコードして元情報を得るデコード手段と、デコード手段で得られた元情報にパスワードが含まれているか判断する判断手段と、判断手段で元情報にパスワードが含まれていると判断された場合に、生成手段で生成された原稿画像を、パスワードの付いた電子ファイルに変換する変換手段と、判断手段で元情報にパスワードが含まれていないと判断された場合に、生成手段で生成された原稿画像を、パスワードの付いていない電子ファイルに変換する変換手段と、変換手段での変換により得られたファイルを送信する送信手段とを備える。【選択図】図３
2012050113.tif 000002
【特許請求の範囲】
【請求項１】
原稿のスキャンにより得られた原稿画像内の２次元コードをデコードして元情報を得るデコード手段と、
前記デコード手段で得られた元情報の中に、前記原稿画像を出力するのに特定のパスワードの入力が必要であることを示す情報が含まれている場合に、パスワードの入力をユーザに要求する要求手段と、
前記原稿画像を他の装置に出力する出力手段と、
を有する装置であって、
前記要求手段での要求後、前記出力手段は、前記原稿画像の他の装置への出力にさしあたり、ユーザにより前記特定のパスワードと同じパスワードの入力がなされると、前記原稿画像を、閲覧のために前記特定のパスワードと同じパスワードの入力を必要とする電子ファイルに変換して他の装置に出力する
ことを特徴とする装置。
【請求項２】
原稿のスキャンにより得られた原稿画像内の２次元コードをデコードして元情報を得るデコードステップと、
前記デコードステップで得られた元情報の中に、前記原稿画像を出力するのに特定のパスワードの入力が必要であることを示す情報が含まれている場合に、パスワードの入力をユーザに要求する要求ステップと、
前記原稿画像を他の装置に出力する出力ステップと、
を含む方法であって、
前記要求ステップでの要求後、前記出力ステップは、前記原稿画像の他の装置への出力にさしあたり、ユーザにより前記特定のパスワードと同じパスワードの入力がなされると、前記原稿画像を、閲覧のために前記特定のパスワードと同じパスワードの入力を必要とする電子ファイルに変換して他の装置に出力する
ことを特徴とする方法。
【請求項３】
原稿のスキャンにより得られた原稿画像内の２次元コードをデコードして元情報を得るデコード手段と、
前記デコード手段で得られた元情報の中に、前記原稿画像を他の装置に出力するのに特定のパスワードの入力が必要であることを示す情報が含まれている場合に、パスワードの入力をユーザに要求する要求手段と、
ユーザにより前記特定のパスワードと同じパスワードの入力がなされると、前記原稿画像を、閲覧のために前記特定のパスワードと同じパスワードの入力を必要とする電子ファイルに変換して他の装置に出力する出力手段と
を備えることを特徴とする装置。
【請求項４】
原稿のスキャンにより得られた原稿画像内の２次元コードをデコードして元情報を得るデコードステップと、
前記デコードステップで得られた元情報の中に、前記原稿画像を他の装置に出力するのに特定のパスワードの入力が必要であることを示す情報が含まれている場合に、パスワードの入力をユーザに要求する要求ステップと、
ユーザにより前記特定のパスワードと同じパスワードの入力がなされると、前記原稿画像を、閲覧のために前記特定のパスワードと同じパスワードの入力を必要とする電子ファイルに変換して他の装置に出力する出力ステップと
を含むことを特徴とする方法。
【請求項５】
請求項２又は４に記載の方法をコンピュータに実行させるためのプログラム。
【発明の詳細な説明】
【技術分野】
【０００１】
本発明は、認証情報が含まれる原稿を処理する装置、方法、プログラムに関する。
【背景技術】
【０００２】
特許文献１は、微小スペースに多量のデータを記録することができる二次元コードの一
種であるＱＲコード（商標）について開示している。
【０００３】
特許文献２は、複製動作を制御することができるグリフコード（商標）について開示し
ている。
【先行技術文献】
【特許文献】
【０００４】
【特許文献１】特開平１０−３１２４４７号公報
【特許文献２】特開２００３−２８０４６９号公報
【発明の概要】
【発明が解決しようとする課題】
【０００５】
特許文献１や特許文献２に開示されている技術を用いることによって、カードや原稿な
どの紙媒体に、電子的な制御を行うための情報を持たせることが可能となり、紙媒体に対
するアクセス制御が実現できる。
【０００６】
特許文献２に開示されている技術をＭＦＰ（複合機）に適用すると、ＭＦＰは、スキャ
ン時に原稿上の２次元コードを検知し、それをデコードすることによって原稿に対する認
証情報を得る。その認証結果に基づいて、ＭＦＰは、上記原稿を扱う処理の継続や中止を
制御することができる。
【０００７】
ＭＦＰが、処理の継続が可能と判断した場合、ＭＦＰに搭載されている送信機能を用い
ることによって、原稿を電子データに変換したり、ファイルサーバや、ＰＣ上に送信した
りすることができる。
【０００８】
そのような場合、ＭＦＰが生成した電子データ上には原稿が持っていた認証情報が、２
次元コードという「画像」で保持されることになる。
【０００９】
そのため、これらの電子データは、ＭＦＰが送信した先のファイルサーバやＰＣ上で認
証制御を行うことができなくなり、認証情報を持っていた原稿であっても、閲覧や複製が
自由に行われてしまうという危険性がある。
【００１０】
また、上記のようなフローで電子データにも認証制御を適用する場合には、再び画像を
解析しなければならない。
【課題を解決するための手段】
【００１１】
上記課題を解決するために、本発明に係る装置は、原稿のスキャンにより得られた原稿画像内の２次元コードをデコードして元情報を得るデコード手段と、前記デコード手段で得られた元情報の中に、前記原稿画像を出力するのに特定のパスワードの入力が必要であることを示す情報が含まれている場合に、パスワードの入力をユーザに要求する要求手段と、前記原稿画像を他の装置に出力する出力手段と、を有する装置であって、前記要求手段での要求後、前記出力手段は、前記原稿画像の他の装置への出力にさしあたり、ユーザにより前記特定のパスワードと同じパスワードの入力がなされると、前記原稿画像を、閲覧のために前記特定のパスワードと同じパスワードの入力を必要とする電子ファイルに変換して他の装置に出力することを特徴とする。
【発明の効果】
【００１２】
ＭＦＰの送信機能を用いて認証情報が含まれる原稿をスキャンし、電子データを生成し
て、ファイルサーバやＰＣ上に送信する場合、原稿に設定されていた認証情報を、電子デ
ータにも適用することできる。これにより、ＭＦＰによりスキャンされた原稿上の情報に
対して厳密なセキュリティを確保することができる。
【図面の簡単な説明】
【００１３】
【図１】システム図を示す図である。
【図２】実施形態１に係るフローチャートである。
【図３】実施形態１に係るフローチャートである。
【図４】実施形態１に係るフローチャートである。
【図５】実施形態２に係るフローチャートである。
【図６】デコードおよびコード化の例を示す図である。
【図７】パスワードの入力検知のフローチャートである。
【発明を実施するための形態】
【００１４】
以下では、図面を参照して本発明を実施するための最良の形態について説明する。
（実施形態１）
図１は、実施形態１のシステム図である。実施形態１のシステムには、少なくともＭＦ
Ｐ１３１とクライアントコンピュータ１１１とが含まれている。
【００１５】
ＭＦＰ１３１は、スキャン、プリント、コピー、送信が可能となっている。ＭＦＰ１３
１のその他の機能については、以下の実施形態に関する説明により明らかにされる。
【００１６】
クライアントコンピュータ１１１は、ネッワーク１０１を介して、ＭＦＰ１３１の送信
したデータを、受信し保存することができる。また、クライアントコンピュータ１１１は
、保存したデータを表示することができる。クライアントコンピュータ１１１のその他の
機能については実施形態に関する説明により明らかにされる。
【００１７】
また、以下で説明する実施形態において、図１に示されているように、ネットワーク１
０１に、複数のクライアントコンピュータ１１１、１１２、複数のＭＦＰ１３１、１３２
、およびファイルサーバ１２１が接続されていても良い。
【００１８】
＜実施形態１における処理フロー（図２）＞
次に、実施形態１における処理フロー（図２）について説明を行う。
【００１９】
図１のＭＦＰ１１１、１１２は、操作画面上に表示された「送信モード」「印刷モード
」等の選択をユーザから受付けた上で、ＭＦＰの操作画面上に表示されたスタートボタン
の選択をユーザから受付けることができる。
【００２０】
図２は、ＭＦＰの操作画面上に表示されたスタートボタンの選択をユーザから受付ける
と開始する処理のフローチャートを示している。また、図２に示されているフローチャー
トにおける各ステップの処理は、ＭＦＰ内のＣＰＵにより統括的に制御される。
【００２１】
ステップＳ２００１で、ＭＦＰは、原稿台の原稿をスキャンし、電気信号としての原稿
画像を生成する。
【００２２】
次に、ステップＳ２００２で、ＭＦＰは、原稿画像から２次元コードの存在領域を検知
する。
【００２３】
次に、ステップＳ２００３で、ＭＦＰは、ステップＳ２００２で検知された２次元コー
ドをデコードし、ステップＳ２００４に処理が進む。
【００２４】
なお、ステップＳ２００２やステップＳ２００３で２次元コードの検知やデコードがで
きなかった場合には、適宜、ＭＦＰは、エラー表示を操作画面上に行う。
【００２５】
ここで、本発明に係る実施形態におけるデコードおよびコード化という言葉の定義につ
いて図６を用いて説明する。図６は、２次元コードの中に含まれている情報（元情報）を
示す図である。元情報がコード画像化されることにより２次元コードはできている。
【００２６】
例えば、２次元コードは、「スキャン：条件付許可（パスワードが正しければ許可）、
パスワード：ａｂｃｄｅｆｇ」という元情報がコード画像化されることによりできている
。
【００２７】
そこで、本発明に係る実施形態では、ある情報を「元情報をコード画像化して２次元コ
ードを生成すること」を「コード化」と定義している。また、本発明に係る実施形態では
、２次元コードを「２次元コードから元情報を得ること」を「デコード」と称している。
以上が、本発明に係る実施形態におけるデコードとコード化の定義である。
【００２８】
ステップＳ２００４で、ＭＦＰは、ステップＳ２００１で生成されたビットマップ形式
の原稿画像と、ステップＳ２００３で得られた元情報と、ステップＳ２００２で検知した
２次元コードの存在領域とをメモリに格納する。このとき、ＭＦＰは、ステップＳ２００
１で生成された原稿画像をビットマップ形式でメモリに格納する。
【００２９】
次に、ステップＳ２００５で、ＭＦＰは、スタートボタンの選択を受付ける前に「送信
モード」の選択を受付けていたか、「印刷モード」の選択を受付けていたか否かを判断す
る。
【００３０】
ステップＳ２００５で、「印刷モード」の選択を受けていたと判断された場合、ステッ
プＳ２００７に処理が進む。ステップＳ２００７でＭＦＰが行う処理を、図３に示す。
【００３１】
図３のステップＳ３００１で、ＭＦＰは、ステップ２００４でメモリに格納した情報の
中に動作制限のための認証情報があるかを検索し、ステップＳ３００２に処理が進む。
【００３２】
ここでは、動作制限のための認証情報を「許可」「禁止」「パスワード入力による条件
付許可」の３つを例に挙げて説明する。動作制限のための認証情報に、「許可」「禁止」
「パスワード入力による条件付許可」の３つ以外の認証情報が含まれていても良い。
【００３３】
ステップＳ３００２で、ＭＦＰが、「許可」と判断した場合には、ステップＳ３００３
に処理が進む。
【００３４】
ステップＳ３００３で、ＭＦＰは、通常のコピー処理を行う。
【００３５】
ステップＳ３００２で、ＭＦＰが、「禁止」と判断した場合には、ステップＳ３００４
に処理が進む。
【００３６】
ステップＳ３００４で、ＭＦＰは、ジョブをキャンセルする。
【００３７】
ステップＳ３００２で、ＭＦＰが、「パスワード入力による条件付許可」と判断した場
合には、ステップＳ３００５に処理が進む。
【００３８】
ステップＳ３００５で、ＭＦＰは、ジョブの先頭ページか否かを判断する。ステップＳ
３００５で先頭ページであると判断された場合には、ステップＳ３００６に処理が進む。
【００３９】
ステップＳ３００６で、ＭＦＰは、操作画面上にパスワード入力要求画面を表示し、ユ
ーザにパスワードの入力を促す。
【００４０】
次に、ステップＳ３００６で、図７に示されている処理が実行される。すなわち、ステ
ップＳ７００１で、ＭＦＰが、パスワードの入力を検知するか否かを判断する。
【００４１】
ステップＳ７００１で、パスワードの入力が検知されなかったと判断された場合に、ス
テップＳ７００２で、ＭＦＰは、ジョブをキャンセルする。
【００４２】
一方、ステップＳ７００１で、パスワードの入力が検知されたと判断された場合に、ス
テップＳ３００７に処理が進む。
【００４３】
ステップＳ３００７で、ＭＦＰは、ステップＳ２００４でメモリに格納したパスワード
情報と、ステップＳ３００６で入力されたパスワードとを比較することで認証を行い、ス
テップＳ３００８に処理が進む。
【００４４】
ステップＳ３００８で、ＭＦＰが、認証ＯＫ（成功）と判断した場合、ステップＳ３０
０９に処理が進み、通常のコピー処理を行う。
【００４５】
ステップＳ３００８で、ＭＦＰが、認証ＮＧ（失敗）と判断した場合、ステップＳ３０
１０に処理が進み、ジョブをキャンセルする。
【００４６】
ステップＳ３００５で、ＭＦＰが、先頭ページではないと判断した場合、ステップＳ３
０１１に処理が進む。
【００４７】
ステップＳ３０１１で、ＭＦＰは、ステップＳ２００４でメモリに格納したパスワード
が、そのジョブの１ページ前と同じパスワードか否かを判断する。ステップＳ３０１１で
、ＭＦＰが、同じパスワードと判断した場合には、ステップＳ３００９に処理が進み、Ｍ
ＦＰは、通常のコピー処理を行う。
【００４８】
ステップＳ３０１１で、ＭＦＰが、そのジョブの１ページ前と別のパスワードと判断し
た場合には、ステップＳ３０１２に処理が進み、ＭＦＰはジョブをキャンセルする。
【００４９】
そして、ＭＦＰは、ステップＳ３００１からステップＳ３０１２までをそのジョブの全
てのページが終了するまで繰り返す。すなわち、ステップＳ３０１３で、ＭＦＰは、最終
ページの処理か否かを判断する。そして、ステップＳ３０１３で、最終ページの処理でな
いと判断された場合には、ステップＳ３００１に処理が進む。一方、ステップＳ３０１３
で最終ページの処理であると判断された場合には、全ての処理が終了する。
【００５０】
ステップＳ２００５で、ＭＦＰが、「送信モード」の選択を受けていたと判断した場合
、ステップＳ２００６に処理が進む。ステップＳ２００６でＭＦＰが行う処理を、図４に
示す。
【００５１】
ステップＳ４００１で、ＭＦＰは、ステップ２００４でメモリに格納した情報の中に動
作制限のための認証情報があるかを検索し、ステップＳ４００２に処理が進む。
【００５２】
ここでは、動作制限のための認証情報を「許可」「禁止」「パスワード入力による条件
付許可」の３つを例に挙げて説明する。動作制限のための認証情報に、「許可」「禁止」
「パスワード入力による条件付許可」の３つ以外の認証情報が含まれていても良い。
【００５３】
ステップＳ４００２で、ＭＦＰが、「許可」と判断した場合には、ステップＳ４００３
に処理が進む。
【００５４】
ステップＳ４００３で、ＭＦＰは、通常の送信処理を行う。
【００５５】
ステップＳ４００２で、ＭＦＰが、「禁止」と判断した場合には、ステップＳ４００４
に処理が進む。
【００５６】
ステップＳ４００４で、ＭＦＰは、ジョブをキャンセルする。
【００５７】
ステップＳ４００２で、ＭＦＰが、「パスワード入力による条件付許可」と判断した場
合には、ステップＳ４００５に処理が進む。
【００５８】
ステップＳ４００５で、ＭＦＰは、ジョブの先頭ページか否かを判断する。そして、ス
テップＳ４００５で、ＭＦＰが、先頭ページであると判断した場合には、ステップＳ４０
０６に処理が進む。
【００５９】
ステップＳ４００６で、ＭＦＰは、操作画面上にパスワード入力要求画面を表示し、ユ
ーザにパスワードの入力を促す。
【００６０】
次に、ステップＳ４００６で、図７に示されている処理が実行される。すなわち、ステ
ップＳ７００１で、ＭＦＰが、パスワードの入力を検知するか否かを判断する。
【００６１】
ステップＳ７００１で、パスワードの入力が検知されなかったと判断された場合に、ス
テップＳ７００２で、ＭＦＰは、ジョブをキャンセルする。
【００６２】
一方、ステップＳ７００１で、パスワードの入力が検知されたと判断された場合に、ス
テップＳ４００７に処理が進む。
【００６３】
ステップＳ４００７で、ＭＦＰは、ステップＳ２００４でメモリに格納したパスワード
情報と、ステップＳ４００６で入力されたパスワードとを比較することで認証を行い、ス
テップＳ４００８に処理が進む。
【００６４】
ステップＳ４００８で、ＭＦＰが、認証が完了したと判断した場合、ステップＳ４００
９に処理が進む。
【００６５】
ステップＳ４００９で、ＭＦＰは、ステップＳ２００４でメモリに格納したビットマッ
プ形式の原稿画像を、同じくメモリに格納したパスワードを用いて、暗号化ＰＤＦを生成
する。
【００６６】
ここで、「ビットマップ形式の原稿画像とパスワードとを用いて暗号化ＰＤＦを生成す
る」とは、どういうことかを詳しく説明する。本実施形態においては、暗号化ＰＤＦは、
ＰＤＦ（Ｐｏｒｔａｂｌｅ  Ｄｏｃｕｍｅｎｔ  Ｆｏｒｍａｔ）ファイルの一種である。
そして、上記「ビットマップ形式の原稿画像とパスワードとを用いて暗号化ＰＤＦを生成
する」とは、以下のような意味である。すなわち、ビットマップ形式の原稿画像をＰＤＦ
形式に変換してＰＤＦファイルを生成し、当該ＰＤＦ形式の原稿画像の閲覧を制限するた
めにＰＤＦファイルに対して、パスワードを付加することを意味する。このパスワード付
加によって、暗号化ＰＤＦが生成されるのである。なお、この暗号化ＰＤＦは、送信先の
装置(例えばＰＣ)上で、ユーザから閲覧指示があった場合には、付加されているパスワー
ドと、送信先の装置上でユーザから入力されたパスワードが一致する場合に、ＰＤＦ形式
の原稿画像が表示される。一方、それらが一致しない場合には、ＰＤＦ形式の原稿画像は
、表示されない。ＭＦＰは、生成した暗号化ＰＤＦを、「送信モード」で設定された宛先
に送信する。
【００６７】
なお、本発明に係る実施形態の記載では、ＭＦＰに読み込まれた原稿画像から生成され
る電子データを記録する電子ファイルの一例として、ＰＤＦファイルを用いて説明を行う
。しかし、暗号化が可能な電子ファイルであれば、どのような電子ファイルでも本発明に
係る実施形態に適用することができる。
【００６８】
ステップＳ４００８で、ＭＦＰが、認証が完了しなかったと判断した場合、ステップＳ
４０１０に処理が進む。
【００６９】
ステップＳ４０１０で、ＭＦＰは、ジョブをキャンセルする。
【００７０】
ステップＳ４００５で、ＭＦＰが、先頭ページではないと判断した場合、ステップＳ４
０１１に処理が進む。
【００７１】
ステップＳ４０１１で、ＭＦＰは、ステップＳ２００４でメモリに格納したパスワード
が、そのジョブの１ページ前と同じパスワードか否かを判断する。ステップＳ４０１１で
、ＭＦＰが、同じパスワードと判断した場合には、ステップＳ４００９に処理が進む。そ
して、ＭＦＰは、ステップＳ２００４でメモリに格納したビットマップ形式の原稿画像を
、同じくメモリに格納したパスワードを用いて暗号化ＰＤＦを生成し、「送信モード」で
設定された宛先に送信する。
【００７２】
ステップＳ４０１１で、そのジョブの１ページ前と別のパスワードと判断した場合には
、ステップＳ４０１２に処理が進む。
【００７３】
ステップＳ４０１２で、ＭＦＰは、ジョブをキャンセルする。
【００７４】
ＭＦＰは、ステップＳ４００１からステップＳ４０１２までを全てのページが終了する
まで繰り返す。すなわち、ステップＳ４０１３で、ＭＦＰは、最終ページの処理か否かを
判断する。そして、ステップＳ４０１３で、最終ページの処理でないと判断された場合に
は、ステップＳ４００１に処理が進む。一方、ステップＳ４０１３で最終ページの処理で
あると判断された場合には、全ての処理が終了する。
【００７５】
以上のように処理を行うことで、ＭＦＰが、認証情報の埋め込まれている原稿をスキャ
ンして電子データを生成し、ファイルサーバやＰＣに送信した場合であっても認証情報を
適用することができる。また、原稿上の情報に対するセキュリティポリシーを電子データ
が引き継ぐことができる。
【００７６】
（実施形態２）
実施形態２も、図１に示した、システム図と同一の構成で実現される。
【００７７】
＜実施形態２における処理フロー（図５）＞
実施形態２では、実施形態１で説明した「送信モード」の選択をユーザから受付けた場
合の処理が異なる。よって、図４に置き換わる部分のみ、図５を用いて説明する。
【００７８】
図２のステップＳ２００５で「送信モード」の選択を受けていたと判断した場合、ステ
ップＳ２００６に処理が進む。ステップＳ２００６で、ＭＦＰが行なう処理を、図５に示
す。
【００７９】
ステップＳ５００１で、ＭＦＰは、ステップＳ２００４でメモリに格納した情報の中に
動作制限のための認証情報があるかを判断する。ここで、動作制限のための認証情報を「
許可」「禁止」「パスワード入力による条件付許可」の３つを例に挙げて説明する。動作
制限のための認証情報に、「許可」「禁止」「パスワード入力による条件付許可」の３つ
以外の認証情報が含まれていても良い。
【００８０】
ステップＳ５００２で、ＭＦＰが、「許可」と判断した場合には、ステップＳ５００３
に処理が進む。
【００８１】
ステップＳ５００３で、ＭＦＰは、通常の送信処理を行う。
【００８２】
ステップＳ５００２で、ＭＦＰが、「禁止」と判断した場合には、ステップＳ５００４
に処理が進む。
【００８３】
ステップＳ５００４で、ＭＦＰは、ジョブをキャンセルする。
【００８４】
ステップＳ５００２で、ＭＦＰが、「パスワード入力による条件付許可」と判断した場
合には、ステップＳ５００５に処理が進む。
【００８５】
ステップＳ５００５で、ＭＦＰは、ジョブの先頭ページか否かを判断する。ステップＳ
５００５で、ＭＦＰが、ジョブの先頭ページであると判断した場合には、ステップＳ５０
０６に処理が進む。
【００８６】
ステップＳ５００６で、ＭＦＰは、操作画面上にパスワード入力要求画面を表示し、ユ
ーザにパスワードの入力を促す。
【００８７】
次に、ステップＳ５００６で、図７に示されている処理が実行される。すなわち、ステ
ップＳ７００１で、ＭＦＰが、パスワードの入力を検知するか否かを判断する。
【００８８】
ステップＳ７００１で、パスワードの入力が検知されなかったと判断された場合に、ス
テップＳ７００２で、ＭＦＰは、ジョブをキャンセルする。
【００８９】
一方、ステップＳ７００１で、パスワードの入力が検知されたと判断された場合に、ス
テップＳ５００７に処理が進む。
【００９０】
ステップＳ５００７で、ＭＦＰは、ステップＳ２００４でメモリに格納したパスワード
情報と、ステップＳ５００６で入力されたパスワードとを比較することで認証を行う。
【００９１】
ステップＳ５００８で、ＭＦＰが、認証が完了したと判断した場合、ステップＳ５００
９に処理が進む。
【００９２】
ステップＳ５００９で、ＭＦＰは、通常の送信処理を行う。ここでは、実施形態１のよ
うに、ＭＦＰが、ステップＳ２００４でメモリに格納したビットマップ形式の原稿画像を
、同じくメモリに格納したパスワードを用いて暗号化ＰＤＦを生成するという処理は行わ
ない。
【００９３】
ステップＳ５００８で、ＭＦＰが、認証が完了しなかったと判断した場合は、ステップ
Ｓ５０１０に処理が進む。
【００９４】
ステップＳ５０１０で、ＭＦＰは、ジョブをキャンセルする。
【００９５】
ステップＳ５００５で、ＭＦＰが先頭ページではないと判断した場合、ステップＳ５０
１２に処理が進む。
【００９６】
ステップＳ５０１２で、ＭＦＰがステップＳ２００４でメモリに格納したパスワードが
、そのジョブの１ページ前と同じパスワードか否かを判断する。ステップＳ５０１２で、
ＭＦＰが、同じパスワードと判断した場合には、ステップＳ５０１３に処理が進む。
【００９７】
ステップＳ５０１３で、ＭＦＰは、ステップＳ５００６で、ユーザによるパスワード入
力を検知したか否かを判断する。
【００９８】
ステップＳ５０１３で、ＭＦＰが、パスワード入力を検知していた場合、ステップＳ５
００９に処理が進み、ＭＦＰは、通常の送信処理を行う。
【００９９】
ステップＳ５０１３で、ＭＦＰが、パスワード入力を検知していなかった場合、ステッ
プＳ５０１１に処理が進む。そして、Ｓ５０１１で、ＭＦＰは、ステップＳ２００４でメ
モリに格納したビットマップ形式の原稿画像を、同じくメモリに格納したパスワードを用
いて暗号化ＰＤＦを生成し、「送信モード」で設定された宛先に送信する。
【０１００】
ステップＳ５０１２で、ＭＦＰが、そのジョブの１ページ前と別のパスワードと判断し
た場合に、ステップＳ５０１４に処理が進む。
【０１０１】
ステップＳ５０１４で、ＭＦＰは、ジョブをキャンセルする。
【０１０２】
ＭＦＰは、ステップＳ５００１からステップＳ５０１４までをそのジョブの全てのペー
ジが終了するまで繰り返す。すなわち、ステップＳ５０１５で、ＭＦＰは、最終ページの
処理か否かを判断する。そして、ステップＳ５０１５で、最終ページの処理でないと判断
された場合には、ステップＳ５００１に処理が進む。一方、ステップＳ５０１５で最終ペ
ージの処理であると判断された場合には、全ての処理が終了する。
【０１０３】
以上のように処理を行うことで、ＭＦＰが、認証情報の埋め込まれている原稿をスキャ
ンして電子データを生成し、ファイルサーバやＰＣに送信する場合に次のような制御が可
能となる。
【０１０４】
一度、ＭＦＰによって原稿にアクセスするための認証が許可されたユーザは、以後、パ
スワード入力が不要となるため、ユーザの利便性が向上する。これは、主に、ＭＦＰを操
作するユーザが、ＭＦＰの送信機能を用いて自分のＰＣを宛先に原稿を送信する場合に有
効な手段である。ＭＦＰを操作するユーザと、「送信モード」の宛先が同一か否かは、別
途利用可能なログイン機能などを用いて判断してもよい。
【０１０５】
また、ＭＦＰを操作するユーザが原稿の認証情報を知らない場合でも、ＭＦＰの送信機
能を利用することができる。これは、主に、ＭＦＰを操作するユーザがＭＦＰの送信機能
を用いて、自分以外のＰＣを宛先に原稿を送信する場合に有効な手段である。ＭＦＰで原
稿に対する認証制御は行われないが、送信先のＰＣ上では必ず認証制御が行われるため、
原稿上の情報に対するセキュリティを守った上で、ユーザの操作性を向上させることがで
きる。
【０１０６】
＜その他の実施形態＞
二次元コードを用いて上記実施形態を説明したが、一次元コードや電子透かしやステガ
ノグラフィーであってもよい。
【０１０７】
また、上記実施形態では、データを格納する媒体としてメモリを用いて説明を行ったが
、データを格納できる媒体（例えば、ＨＤＤやＲＡＭ）であれば、メモリに代わることが
できる。
【０１０８】
また、上記実施形態では、ＭＦＰがスキャンすることを前提に説明したが、スキャンと
は、原稿上の画像を光学的に読取ることを意味する。例えば、デジタルカメラによる撮影
などであっても本発明の目的を達成することができる。
【０１０９】
また、上記実施形態では、画像の読取、情報の処理、画像のシート上への印字の何れも
が可能なＭＦＰを取り上げて説明したが、画像の読取、情報処理、画像のシート上への印
字を行う装置が夫々、別の装置であっても構わない。
【０１１０】
なお、本明細書では、少なくとも情報の処理を行うことができる装置を画像処理装置と
称する。さらには、少なくとも情報の処理、及び、画像のシート上への印字とを行うこと
ができる装置を画像形成装置と称する。
【０１１１】
また本発明の目的は、上記実施形態で示したフローチャートの手順を実現するプログラ
ムコードを記憶した記憶媒体から、コンピュータが、そのプログラムコードを読出し実行
することによっても達成される。この場合、記憶媒体から読み出されたプログラムコード
自体が上述した実施形態の機能を実現することになる。そのため、このプログラムコード
やプログラムコードを記憶した記憶媒体も本発明を構成することができる。
【０１１２】
プログラムコードを供給するための記憶媒体としては、例えば、フロッピー（登録商標
）ディスク、ハードディスク、光ディスク、光磁気ディスク、ＣＤ−ＲＯＭ、ＣＤ−Ｒ、
磁気テープ、不揮発性のメモリカード、ＲＯＭなどを用いることができる。
【符号の説明】
【０１１３】
１０１  ネットワーク
１１１  クライアントコンピュータ
１１２  クライアントコンピュータ
１２１  ファイルサーバ
１３１  ＭＦＰ
１３２  ＭＦＰ
【図１】
2012050113.tif 000003
【図２】
2012050113.tif 000004
【図３】
2012050113.tif 000005
【図４】
2012050113.tif 000006
【図５】
2012050113.tif 000007
【図６】
2012050113.tif 000008
【図７】
2012050113.tif 000009